(57)【要約】【課題】裾等における表地と裏地との間の縫い目をなくすことができる裏地付被服の製造方法を提供する。【解決手段】裏地付上衣１０の製造方法は、同一生地の表地１１と裏地１２とが対称軸１３で線対称に連結されたパターン布１０ａ、１０ｂを２枚用意する工程と、前記２枚のパターン布１０ａ、１０ｂの表地１１同士及び裏地１２同士を重ね合わせて、対称軸１３と交差する方向における表地１１及び裏地１２の所定の縁部１４１，１４３、１４２，１４４同士を縫合し、筒状体を形成する工程と、対象軸１３を折り目として筒状体の裏地１２を表地１１の内側へ折り込む工程とを備える。【選択図】図１
2019218635.tif 000002
【特許請求の範囲】
【請求項１】
同一生地の表地と裏地とが対称軸で線対称に連結されたパターン布を２枚用意する工程と、
前記２枚のパターン布の表地同士及び裏地同士を重ね合わせて、前記対称軸と交差する方向における前記表地及び前記裏地の所定の縁部同士を縫合し、筒状体を形成する工程と、
前記対称軸を折り目として、前記筒状体の前記裏地を前記表地の内側へ折り込む工程と
を備えたことを特徴とする裏地付被服の製造方法。
【請求項２】
前記被服はズボンであり、前記２枚のパターン布のうち、一方のパターン布は右前身頃及び左後身頃用の布であり、他方のパターン布は左前身頃及び右後身頃用の布であり、
前記筒状体を形成する工程においては、前記右前身頃及び前記左前身頃についての前記表地及び前記裏地の股上縁部同士を縫合し、前記右後身頃及び前記左後身頃についての前記表地及び前記裏地の股上縁部同士を縫合し、
前記筒状体を形成する工程の後に、前記股上縁部が中央部に位置するように前記筒状体を２つ折にした状態で、前記左前身頃及び前記右後身頃についての前記表地及び前記裏地の内股下縁部同士を縫合し、前記右前身頃及び前記左後身頃についての前記表地及び前記裏地の内股下縁部同士を縫合する工程をさらに備えたことを特徴とする請求項１に記載の裏地付被服の製造方法。
【請求項３】
前記被服は上衣であり、前記２枚のパターン布のうち、一方のパターン布は前身頃用の布であり、他方のパターン布は後身頃用の布であることを特徴とする請求項１に記載の裏地付被服の製造方法。
【請求項４】
同一生地の表地と裏地とが対称軸で線対称に連結されたパターン布を１枚用意する工程と、
前記パターン布の表地同士及び裏地同士が重なり合うように２つ折りにした状態で前記対称軸と交差する方向における前記表地及び前記裏地の所定の縁部同士を縫合し、筒状体を形成する工程と、
前記対称軸を折り目として、前記筒状体の前記裏地を前記表地の内側へ折り込む工程と
を備えたことを特徴とする裏地付被服の製造方法。
【発明の詳細な説明】
【技術分野】
【０００１】
本発明は、裏地付被服の製造方法、特に表地と同一の生地で裏地を取り付けた裏地付被服の製造方法に関する。
【背景技術】
【０００２】
従来、被服に裏地を取り付ける場合には、ズポンや上衣の表地の裾等の縁部を裏側に折り返して、当該折り返し部分に裏地の縁部を縫いつけていた（例えば、特許文献１参照）。
【先行技術文献】
【特許文献】
【０００３】
【特許文献１】特開２００２−２６６１１６号公報
【発明の概要】
【発明が解決しようとする課題】
【０００４】
このような裏地付の被服は、表地と裏地との間の縫い目がほつれたり、当該縫い目や、表地を裏に折り返して縫製することにより厚くなった部分が着用者の体に当たり不快感を与えるという問題があった。また、着脱時に当該縫い目や折り返し部分に手や足がひっかかるという問題があった。さらに、当該縫い目や折り返し部分に汚れがつきやすいという問題があった。
また、表地と裏地との生地が異なる場合、表地と裏地との伸縮率が異なることにより、表地や裏地に皺、引きつれ等ができ易いという問題があった。皺や引きつれを生じさせることなく裏地を表地に縫い付けるには、高度な縫製技術が必要であった。
【０００５】
本発明は、上述した問題点を解決するためになされたものであり、裾等における表地と裏地との間の縫い目をなくすことができる裏地付被服の製造方法を提供することを目的とする。
また、表地と同一の生地を用いて裏地を容易に取り付けることができる裏地付被服の製造方法を提供することを目的とする。
また、引きつれを生じさせることなく裏地を取り付けることができる裏地付被服の製造方法及び型紙を提供することを目的とする。
【課題を解決するための手段】
【０００６】
上記目的の少なくとも１つを達成するために、本発明に係る裏地付被服の製造方法は、
同一生地の表地と裏地とが対称軸で線対称に連結されたパターン布を２枚用意する工程と、
前記２枚のパターン布の表地同士及び裏地同士を重ね合わせて、前記対称軸と交差する方向における前記表地及び前記裏地の所定の縁部同士を縫合し、筒状体を形成する工程と、
前記対称軸を折り目として、前記筒状体の前記裏地を前記表地の内側へ折り込む工程と
を備えたことを特徴とする。
【０００７】
本発明によれば、対称軸に相当する部分である被服の裾等に縫い目をなくすことができるため、当該縫い目がほつれたり、当該縫い目や表地の折り返し部分が着用者の体に当たって着用者に不快感を与えたり、当該縫い目や折り返し部分が汚れたりすること等がなくなり、表地と裏地との間に縫い目があることによる不具合を解消することができる。また、表地と裏地とが対称軸で線対称に連結された線対称形状であるため、縫製が簡単である。また、表地及び裏地が同一生地であるため表地や裏地が引きつれることがない。
【０００８】
上記発明において、前記被服はズボンであり、前記２枚のパターン布のうち、一方のパターン布は右前身頃及び左後身頃用の布であり、他方のパターン布は左前身頃及び右後身頃用の布であり、
前記筒状体を形成する工程においては、前記右前身頃及び前記左前身頃についての前記表地及び前記裏地の股上縁部同士を縫合し、前記右後身頃及び前記左後身頃についての前記表地及び前記裏地の股上縁部同士を縫合し、
前記筒状体を形成する工程の後に、前記股上縁部が中央部に位置するように前記筒状体を２つ折にした状態で、前記左前身頃及び前記右後身頃についての前記表地及び前記裏地の内股下縁部同士を縫合し、前記右前身頃及び前記左後身頃についての前記表地及び前記裏地の内股下縁部同士を縫合する工程をさらに備えたことを特徴とする。
【０００９】
本発明によれば、表地と同一の生地の裏地を取り付けた、裾に縫い目のないズボンを容易に製造することができる。
【００１０】
上記発明において、前記被服は上衣であり、前記２枚のパターン布のうち、一方のパターン布は前身頃用の布であり、他方のパターン布は後身頃用の布であることを特徴とする。
【００１１】
本発明によれば、表地と同一の生地の裏地を取り付けた、裾に縫い目のない上衣を容易に製造することができる。
【００１２】
また、本発明に係る裏地付被服の製造方法は、
同一生地の表地と裏地とが対称軸で線対称に連結されたパターン布を１枚用意する工程と、
前記パターン布の表地同士及び裏地同士が重なり合うように２つ折りにした状態で前記対称軸と交差する方向における前記表地及び前記裏地の所定の縁部同士を縫合し、筒状体を形成する工程と、
前記対称軸を折り目として、前記筒状体の前記裏地を前記表地の内側へ折り込む工程と
を備えたことを特徴とする。
【００１３】
本発明によれば、対称軸に相当する部分である被服の袖口等に縫い目をなくすことができるため、縫い目がほつれたり、縫い目や表地の折り返し部分が着用者の体に当たって着用者に不快感を与えたり、縫い目や折り返し部分が汚れたりすること等がなくなり、表地と裏地との間に縫い目があることによる不具合を解消することができる。また、表地及び裏地が線対称形状であるため縫製が簡単である。また、表地及び裏地が同一生地であるため表地や裏地が引きつれることがない。
【図面の簡単な説明】
【００１４】
【図１】本発明の第１実施形態に係る裏地付上衣の製造工程図である。
【図２】同実施形態に係る２枚のパターン布を示す図である。
【図３】同実施形態に係る筒状体を形成する様子を示す図である。
【図４】同実施形態に係る裏地付上衣を示す図である。
【図５】本発明の第２実施形態に係る裏地付ズボンの製造工程図である。
【図６】同実施形態に係る２枚のパターン布を示す図である。
【図７】同実施形態に係る筒状体を形成する様子を示す図である。
【図８】同実施形態に係る裏地付ズボンを示す図である。。
【図９】本発明の第３実施形態に係る裏地付袖の製造工程図である。
【図１０】同実施形態に係る１枚のパターン布を示す図である。
【図１１】同実施形態に係る１枚のパターン布を２つ折にして筒状体を形成する様子を示す図である。
【図１２】同実施形態に係る裏地付袖を示す図である。
【図１３】同実施形態に係る裏地付袖を裏地付上衣に取り付けた様子を示す図である。
【発明を実施するための形態】
【００１５】
以下、図面を参照して、本発明の実施の形態について詳細に説明する。
【００１６】
（第１実施形態）
まず、本発明の第１実施形態を説明する。本実施形態では、「裏地付被服」として裏地付上衣１０を製造する場合について、図１に示す製造工程図を参照して説明する。
【００１７】
まず、大判の生地を裁断することにより、図２に示すような、表地１１と裏地１２とが対称軸１３で線対称に連結された同一形状のパターン布１０ａ，１０ｂを用意する（工程Ｓ１１）。
ここで、２枚のパターン布１０ａ、１０ｂのうち、パターン布１０ａは表地１１及び裏地１２を有する前身頃用の布であり、パターン布１０ｂは表地１１及び裏地１２を有する後身頃用の布である。本実施形態では、パターン布１０ａ，１０ｂは、タオルのような表と裏とが同一の素材で構成され同一の織り方の布である。さらに、パターン布１０ａ，１０ｂは、左右対称形状であり、表裏同一形状であるため、パターン布１０ａ，１０ｂのうち何れを前身頃用として用いてもよいし、何れの面を表として用いてもよい。
【００１８】
次に、２枚のパターン布１０ａ，１０ｂの表地１１同士及び裏地１２同士を重ね合わせて、対称軸１３と交差する方向における表地１１及び裏地１２の両脇下に相当する位置の縁部同士を縫合し、筒状体を形成する（工程Ｓ１２）。本実施形態では、図２に示すように、パターン布１０ａの縁部１４１とパターン布１０ｂの縁部１４３とを縫合し、パターン布１０ａの縁部１４２とパターン布１０ｂの縁部１４４とを縫合する。
【００１９】
次に、図３に示すように、形成した筒状体の対称軸１３を折り目として、裏地１２を表地１１の内側へ折り込む（工程Ｓ１３）。具体的な折り込み方法としては、裏地１２を覆うように表地１１をひっくり返すと、裏地１２を表地１１の内側へ容易に折り込むことができる。これにより、図４に示すような裏地付上衣１０が出来上がる。
この後に、裏地付上衣１０の襟ぐりに襟をつけたり、襟ぐりに沿って表地と裏地とを縫合する。裏地付上衣１０の上部両端に後述する裏地付袖３０を取り付けたり、ポケットを取り付けたりしてもよい。
【００２０】
このような裏地付上衣１０は、左右対称形状であり、前後表裏同一形状であるため、縫製が容易である。また、表地１１及び裏地１２が同一の生地で構成されているため、表地２１や裏地１２が突っ張ったり引きつったりすることがない。また、裾に縫い目や折り返しがないため、着用者が不快感を感じたり脱着時に引っかかったりすることがない。また、前後を逆に着ても、裏返して着ても同じ外形であるため、着用する際に前後や裏表を確認する必要がなく、暗がりでも着用者の認知機能が衰えていても容易に着用することができる。
【００２１】
（第２実施形態）
次に、第２実施形態について説明する。本実施形態では、「裏地付被服」として裏地付ズボン２０を製造する場合について、図５に示す製造工程図を参照して説明する。
【００２２】
まず、大判の生地を裁断することにより、図６に示すような、表地２１と裏地２２とが対称軸２３で線対称に連結された同一形状のパターン布２０ａ，２０ｂを用意する（工程Ｓ２１）。
ここで、一方のパターン布２０ａは右前身頃２０ＲＦ（２１１，２２１）及び左後身頃２０ＬＢ（２１２，２２２）用の布であり、他方のパターン布２０ｂは左前身頃２０ＬＦ（２１３，２２３）及び右後身頃２０ＲＢ（２１４，２２４）用の布である。
すなわち、パターン布２０ａは、右前身頃表地２１１と、左後身頃表地２１２と、右前身頃裏地２２１と、左後身頃裏地２２２と、で構成されている。また、パターン布２０ｂは、左前身頃表地２１３と、右後身頃表地２１４と、左前身頃裏地２２３と、右後身頃裏地２２４と、で構成されている。
本実施形態では、当該パターン布２０ａ，２０ｂは、タオルのような表と裏とが同一の素材で構成され同一の織り方の布である。さらに、パターン布２０ａ，２０ｂは、左右対称形状であり、前後表裏同一形状であるため、２枚のパターン布２０ａ，２０ｂのうち、何れを一方のパターン布２０ａとして用いてもよいし、何れの面を表として用いてもよい。
【００２３】
次に、２枚のパターン布２０ａ，２０ｂの表地２１同士及び裏地２２同士を重ね合わせて、対称軸２３と交差する方向における表地２１及び裏地２２の所定の縁部同士を縫合し、筒状体を形成する（工程Ｓ２２）。
本実施形態では、右前身頃２０ＲＦと左前身頃２０ＬＦについては、表地２１の股上縁部２４１、２４３を縫合し、裏地２２の股上縁部２４５、２４７同士を縫合する。左後身頃２０ＬＢと右後身頃２０ＲＢについては、表地２１の股上縁部２４２，２４４同士を縫合し、裏地２２の股上縁部２４６，２４８同士を縫合する。
【００２４】
次に、図７に示すように、工程Ｓ２２で縫合した股上縁部２４１，２４３、２４５，２４７、２４２，２４４、２４６，２４８が中央部に位置するように筒状体を２つ折にする。その２つ折りにした状態で、左前身頃２０ＬＦ及び右後身頃２０ＲＢについての表地２１及び裏地２２の内股下縁部２５４，２５３同士、内股下縁部２５８，２５７同士を縫合し、右前身頃２０ＲＦ及び左後身頃２０ＬＢについての表地２１及び裏地２２の内股下縁部２５１，２５２同士、内股下縁部２５５，２５６同士を縫合する（工程Ｓ２３）。
詳細には、右前身頃表地２１１の内股下縁部２５１と、左後身頃表地２１２の内股下縁部２５２とを縫い合わせる。右前身頃裏地２２１の内股下縁部２５５と、左後身頃裏地２２２の内股下縁部２５６とを縫い合わせる。左前身頃表地２１３の内股下縁部２５３と、右後身頃表地２１４の内股下縁部２５４とを縫い合わせる。左前身頃裏地２２３の内股下縁部２５７と、右後身頃裏地２２４の内股下縁部２５８とを縫い合わせる。
【００２５】
次に、対称軸２３を折り目として、裏地２２を表地２１の内側へ折り込むことで（工程Ｓ２４）、図８に示す裏地付ズボン２０となる。
【００２６】
この後に、穿き口の周に沿った表地２１と裏地２２との間にゴムを配置し、ゴムを挟んだ状態で当該表地２１と裏地２２とを縫い合わせる。さらに当該裏地付ズボン２０にポケットを設けてもよい。
【００２７】
このような裏地付ズボン２０は、左右対称形状であり、前後表裏同一形状であるため、縫製が容易である。また、表地２１及び裏地２２が同一の生地で構成されているため、表地２１や裏地２２が突っ張ったり引きつったりすることがない。また、裾に縫い目や折り返しがないため、着用者が不快感を感じたり脱着時に引っかかったりすることがない。また、前後を逆に着ても、裏返して着ても同じ外形であるため、着用する際に前後や裏表を確認する必要がなく、暗がりでも着用者の認知機能が衰えていても容易に着用することができる。
【００２８】
（第３実施形態）
次に、第３実施形態について説明する。本実施形態では、「裏地付被服」として裏地付袖３０を製造する場合について、図９に示す工程図を参照して説明する。
【００２９】
まず、図１０に示すような、袖の表地３１と裏地３２とが対称軸３３で線対称に連結されたパターン布３０ａを１枚用意する（工程Ｓ３１）。
【００３０】
次に、図１１に示すように、パターン布３０ａの表地３１同士及び裏地３２同士が重なり合うように２つ折りにする。パターン布３０ａに表裏がある場合には、表となる面を重ね合わせる。その状態で、対称軸３３と交差する方向における表地３１及び裏地３２の縁部３４，３５同士を矢印Ｌ１、Ｌ２に沿って縫合し、筒状体を形成する（工程Ｓ３２）。
【００３１】
次に、工程Ｓ３２で形成した筒状体の裏地３２を、対称軸３３を折り目として表地３１の内側へ折り込む（工程Ｓ３３）。具体的な折り込み方法としては、裏地３２を覆うように表地３１をひっくり返すと、裏地３２を表地３１の内側へ容易に折り込むことができる。
【００３２】
これにより、図１２に示す裏地付袖３０が完成する。この後は、袖口の周に沿ってゴムを取り付けたり、この裏地付袖３０を第１実施形態で製造した裏地付上衣１０の上部両端に縫い付けてもよい。
裏地付袖３０を裏地付上衣１０に縫い付ける場合には、腕を動かし易くするために、図１３に示すように、裏地付上衣１０と裏地付袖３０との連結箇所（前身頃表地左右２箇所、前身頃裏地左右２箇所、後身頃表地左右２箇所、後身頃裏地左右２箇所、合計８箇所）に、伸縮性の高い布４０を配置し、裏地付上衣１０と裏地付袖３０とを当該布４０を介して連結してもよい。
【００３３】
このような裏地付袖３０は、表地３１及び裏地３２が同一の生地で構成されているため、表地３１や裏地３２が突っ張ったり引きつれたりすることがない。また、袖口に縫い目や折り返しがないため、着用者が不快感を感じたり脱着する際に引っかかったりすることがない。
【００３４】
以上説明したように、対称軸に相当する部分である被服の裾や袖口に縫い目をなくすことができるため、当該縫い目がほつれたり、当該縫い目や表地の折り返し部分が着用者の体に当たって着用者に不快感を与えたり、縫い目や折り返し部分が汚れたりすること等がなくなり、表地と裏地との間に縫い目があることによる不具合を解消することができる。また、表地と裏地とが対称軸で連結された線対称形状であるため、縫製が簡単である。また、表地及び裏地が同一生地であるため、表地や裏地が引きつれることがない。
【００３５】
なお、上述した実施形態においては、パターン布１０ａ、１０ｂ、２０ａ、２０ｂは表裏の素材及び織り方が同一の素材であり、表裏の区別がない生地であるとして説明したが、これに限定されることはなく、表裏の素材が異なっていたり織り方が異なってる生地であってもよい。その場合には、パターン布１０ａ、１０ｂ、２０ａ、２０ｂの表裏を意識して縫製する必要がある。例えば、工程Ｓ１２、工程Ｓ２２においてはパターン布１０ａ、１０ｂ、２０ａ、２０ｂの表同士を重ね合わせるとよい。
また、上述した第１実施形態においてはパターン布１０ａ、１０ｂは同一形状であるとして説明したが、異なる形状であってもよい。同様に、第２実施形態においてパターン布２０ａ、２０ｂは同一形状であるとして説明したが、異なる形状であってもよい。そして、この異なる形状のパターン布１０ａ、１０ｂから製造された裏地付上衣１０、及び、パターン布２０ａ、２０ｂから製造された裏地付ズボン２０は、左右対称形状でなくてもよいし、前後が異なる形状であってもよいし、表裏が異なる形状であってもよい。
【産業上の利用可能性】
【００３６】
本発明に係る裏地付被服の製造方法は、上衣、ズボン、袖のみならず、コート、ワンピース、エプロン、スカート等の、裾や口を有する衣類に利用することができる。
【符号の説明】
【００３７】
１０    裏地付上衣
１０ａ、１０ｂ  パターン布
１１    表地
１２    裏地
１３    対称軸
１４１、１４２、１４３、１４４  縁部
２０  裏地付ズボン
２０ａ、２０ｂ  パターン布
２０ＲＦ  右前身頃
２０ＬＢ  左後身頃
２０ＬＦ  左前身頃
２０ＲＢ  右後身頃
２１  表地
２１１  右前身頃表地
２１２  左後身頃表地
２１３  左前身頃表地
２１４  右後身頃表地
２２１  右前身頃裏地
２２２  左後身頃裏地
２２３  左前身頃裏地
２２４  右後身頃裏地
２４１、２４２、２４３、２４４、２４５、２４６、２４７、２４８  股上縁部
２５１、２５２、２５３、２５４、２５５、２５６、２５７、２５８  内股下縁部
３０  裏地付袖
３０ａ  パターン布
３１  表地
３２  裏地
３３  対称軸
３４、３５  縁部
４０  伸縮性のある布
【図１】
2019218635.tif 000003
【図２】
2019218635.tif 000004
【図３】
2019218635.tif 000005
【図４】
2019218635.tif 000006
【図５】
2019218635.tif 000007
【図６】
2019218635.tif 000008
【図７】
2019218635.tif 000009
【図８】
2019218635.tif 000010
【図９】
2019218635.tif 000011
【図１０】
2019218635.tif 000012
【図１１】
2019218635.tif 000013
【図１２】
2019218635.tif 000014
【図１３】
2019218635.tif 000015
【手続補正書】
【提出日】令和1年11月3日(2019.11.3)
【手続補正１】
【補正対象書類名】特許請求の範囲
【補正対象項目名】全文
【補正方法】変更
【補正の内容】
【特許請求の範囲】
【請求項１】
同一生地の表地と裏地とが対称軸で線対称に連結されたパターン布を２枚用意する工程と、
前記２枚のパターン布の表地同士及び裏地同士を重ね合わせて、前記対称軸と交差する方向における前記表地及び前記裏地の所定の縁部同士を縫合し、筒状体を形成する工程と、
前記対称軸を折り目として、前記筒状体の前記裏地を前記表地の内側へ折り込む工程とを備えた裏地付被服の製造方法であって、
前記被服はズボンであり、前記２枚のパターン布のうち、一方のパターン布は右前身頃及び左後身頃用の布であり、他方のパターン布は左前身頃及び右後身頃用の布であり、
前記筒状体を形成する工程においては、前記右前身頃及び前記左前身頃についての前記表地及び前記裏地の股上縁部同士を縫合し、前記右後身頃及び前記左後身頃についての前記表地及び前記裏地の股上縁部同士を縫合し、
前記筒状体を形成する工程の後に、前記股上縁部が中央部に位置するように前記筒状体を２つ折にした状態で、前記左前身頃及び前記右後身頃についての前記表地及び前記裏地の内股下縁部同士を縫合し、前記右前身頃及び前記左後身頃についての前記表地及び前記裏地の内股下縁部同士を縫合する工程を備えたことを特徴とする裏地付被服の製造方法。
【請求項２】
同一生地の表地と裏地とが対称軸で線対称に連結されたパターン布を２枚用意する工程と、
前記２枚のパターン布の表地同士及び裏地同士を重ね合わせて、前記対称軸と交差する方向における前記表地及び前記裏地の所定の縁部同士を縫合し、筒状体を形成する工程と、
前記対称軸を折り目として、前記筒状体の前記裏地を前記表地の内側へ折り込む工程とを備えた裏地付被服の製造方法であって、
前記被服は上衣であり、前記２枚のパターン布のうち、一方のパターン布は前身頃用の布であり、他方のパターン布は後身頃用の布であることを特徴とする裏地付被服の製造方法。